(57)【要約】【課題】シートの幅方向における位置が規制されずにシートが斜行してしまうことを低減した画像形成装置、画像形成装置の制御方法、及びプログラムを提供する。【解決手段】画像形成手段に画像を形成させる画像形成ジョブが中断している状態において、少なくともシート検知手段がシートを検知して計測開始状態になってから規制手段が移動状態にならなかった場合には、第１のタイミングで給送手段を駆動させ、計測開始状態になってから規制手段が移動状態になった場合には、第１のタイミングよりも遅い第２のタイミングで給送手段を駆動させる駆動処理を実行する。【選択図】図１１
2018184235.tif 000002
【特許請求の範囲】
【請求項１】
シートが積載されるシート積載手段と、
前記シート積載手段に対して移動可能に設けられ、前記シート積載手段に積載されたシートの位置を規制可能な規制手段と、
前記シート積載手段に積載されたシートを給送する給送手段と、
前記シート積載手段から給送されるシートに画像を形成する画像形成手段と、
前記シート積載手段にシートが積載されたことを検知するシート検知手段と、
前記画像形成手段に画像を形成させる画像形成ジョブが中断している状態において、
少なくとも前記シート検知手段がシートを検知して計測開始状態になってから前記規制手段が移動状態にならなかった場合には、第１のタイミングで前記給送手段を駆動させ、
前記計測開始状態になってから前記規制手段が前記移動状態になった場合には、前記第１のタイミングよりも遅い第２のタイミングで前記給送手段を駆動させる駆動処理を実行可能な制御手段と、を備える、
ことを特徴とする画像形成装置。
【請求項２】
前記制御手段は、前記駆動処理において、前記計測開始状態から所定のサンプリング時間が経過する前に前記規制手段が前記移動状態になると時間の計測をリセットすると共に前記サンプリング時間の計測を再び行い、
前記第１のタイミングは、一回目の前記サンプリング時間の計測が終了したことに基づくタイミングであり、
前記第２のタイミングは、複数回目の前記サンプリング時間の計測が終了したことに基づくタイミングである、
ことを特徴とする請求項１に記載の画像形成装置。
【請求項３】
前記制御手段は、前記計測開始状態から所定時間が経過してから、前記サンプリング時間の計測を開始する、
ことを特徴とする請求項２に記載の画像形成装置。
【請求項４】
前記シート検知手段がシートを検知して前記計測開始状態になった際の前記規制手段の位置である第１位置と、前記計測開始状態になってから前記サンプリング時間が経過した際の前記規制手段の位置である第２位置と、を検知可能な位置検知手段を備え、
前記制御手段は、前記駆動処理において前記第１位置と前記第２位置との差が所定値以上の場合には前記規制手段が前記移動状態になったと判断し、前記差が所定値未満の場合には前記規制手段が停止状態であると判断する、
ことを特徴とする請求項２又は３に記載の画像形成装置。
【請求項５】
前記画像形成ジョブが入力された際の前記規制手段の位置である第３位置と、前記計測開始状態になった際の前記規制手段の位置である第４位置と、を検知可能な位置検知手段を備え、
前記制御手段は、前記駆動処理において前記第３位置と前記第４位置との差が所定値以上の場合には前記規制手段が前記移動状態になったと判断し、前記差が所定値未満の場合には前記規制手段が停止状態であると判断する、
ことを特徴とする請求項１に記載の画像形成装置。
【請求項６】
前記シート積載手段に対応付けられたシートのサイズに関する第１の情報と、前記シート検知手段がシートを検知しても前記第１の情報が自動的に設定されない手動設定モード及び前記シート検知手段がシートを検知すると前記第１の情報が予め設定された値に自動的に設定される固定モードのいずれが選択されているかを示す第２の情報と、前記第１の情報の入力を省略可能とする省略設定が有効であることを示す第３の情報と、を記憶可能な記憶手段を備え、
前記計測開始状態は、前記固定モードが選択され、前記省略設定の有効を示し、かつ前記シート検知手段がシートを検知した状態である、
ことを特徴とする請求項１乃至５のいずれか１項に記載の画像形成装置。
【請求項７】
前記規制手段は、シート給送方向に直交する幅方向に移動可能、かつ前記シート積載手段に積載されたシートの前記幅方向における端部の位置を規制可能である、
ことを特徴とする請求項１乃至６のいずれか１項に記載の画像形成装置。
【請求項８】
前記シート積載手段は、シートを手差し可能な手差しトレイである、
ことを特徴とする請求項１乃至７のいずれか１項に記載の画像形成装置。
【請求項９】
シート積載手段に積載されたシートの位置を規制手段によって規制可能な画像形成装置の制御方法において、
制御手段が、画像形成手段に画像を形成させる画像形成ジョブが中断している状態であることを示す情報を取得する中断状態取得工程と、
制御手段が、少なくともシート検知手段がシートを検知して計測開始状態になってから前記規制手段が移動状態になったか否かを判断する移動判断工程と、
制御手段が、前記移動判断工程において移動状態になったと判断した場合には第１のタイミングで、前記移動判断工程において移動状態になっていないと判断した場合には前記第１のタイミングより遅い第２のタイミングで、前記シート積載手段に積載されたシートを給送可能な給送手段を駆動させる駆動工程と、を含む、
ことを特徴とする画像形成装置の制御方法。
【請求項１０】
請求項９に記載された画像形成装置の制御方法の各工程を、コンピュータに実行させるためのプログラム。
【発明の詳細な説明】
【技術分野】
【０００１】
本発明は、シートに画像を形成する画像形成装置、画像形成装置を制御するための制御方法、及びその制御方法をコンピュータに実行させるためのプログラムに関する。
【背景技術】
【０００２】
一般に、複写機やプリンタ、ファクシミリ等の画像形成装置は、記録材となるシートが積載される手差しトレイを備えており、手差しトレイから給送されるシートに画像を形成する。従来、手差しトレイに積載されたシートのサイズを、操作部により予め設定可能なファクシミリ装置が提案されている（特許文献１参照）。また、このファクシミリ装置は、操作部によりシートのサイズが設定されていない場合には、搬送路上のサイズセンサによって使用されるシートのサイズを確定する。
【先行技術文献】
【特許文献】
【０００３】
【特許文献１】特開２００５−１９４０２０号公報
【発明の概要】
【発明が解決しようとする課題】
【０００４】
ところで、手差しトレイには、シート給送方向に直交する幅方向に移動可能、かつシートの幅方向における端部の位置を規制可能なサイド規制板が設けられることが一般的である。そして、手差しトレイに積載されたシートは、サイド規制板によって幅方向における位置が規制されることで、斜行することなく給送される。
【０００５】
しかしながら、上記特許文献１に記載のファクシミリ装置は、操作部により予めシートのサイズが設定されているかいないかに拘わらず、画像形成ジョブが入力されるとシートが給送される。このため、ユーザによっては、サイド規制板の位置を調整する前にシートの給送が行われてしまい、サイド規制板によって十分にシートの幅方向における位置が規制されずにシートが斜行してしまう虞がある。
【０００６】
特に、連続してシートに画像形成を行う画像形成ジョブの途中でシートが不足して、画像形成ジョブが中断してしまった場合には、ユーザがシートを補充すると自動的に画像形成ジョブが再開してしまうことがある。この時、ユーザにはサイド規制板の位置を調整するための十分な時間が無く、サイド規制板の位置を調整している最中にシートが給送されてしまう虞がある。これにより、シートの印字不良や搬送不良が発生するという問題があった。
【０００７】
そこで、本発明は、ユーザが規制手段の位置を調整するための時間を確保し、上述した課題を解決した画像形成装置、その制御方法、及びプログラムを提供することを目的とする。
【課題を解決するための手段】
【０００８】
本発明は、画像形成装置において、シートが積載されるシート積載手段と、前記シート積載手段に対して移動可能に設けられ、前記シート積載手段に積載されたシートの位置を規制可能な規制手段と、前記シート積載手段に積載されたシートを給送する給送手段と、前記シート積載手段から給送されるシートに画像を形成する画像形成手段と、前記シート積載手段にシートが積載されたことを検知するシート検知手段と、前記画像形成手段に画像を形成させる画像形成ジョブが中断している状態において、少なくとも前記シート検知手段がシートを検知して計測開始状態になってから前記規制手段が移動状態にならなかった場合には、第１のタイミングで前記給送手段を駆動させ、前記計測開始状態になってから前記規制手段が前記移動状態になった場合には、前記第１のタイミングよりも遅い第２のタイミングで前記給送手段を駆動させる駆動処理を実行可能な制御手段と、を備える、ことを特徴とする。
【０００９】
また、本発明は、シート積載手段に積載されたシートの位置を規制手段によって規制可能な画像形成装置の制御方法において、制御手段が、画像形成手段に画像を形成させる画像形成ジョブが中断している状態であることを示す情報を取得する中断状態取得工程と、制御手段が、少なくともシート検知手段がシートを検知して計測開始状態になってから前記規制手段が移動状態になったか否かを判断する移動判断工程と、制御手段が、前記移動判断工程において移動状態になったと判断した場合には第１のタイミングで、前記移動判断工程において移動状態になっていないと判断した場合には前記第１のタイミングより遅い第２のタイミングで、前記シート積載手段に積載されたシートを給送可能な給送手段を駆動させる駆動工程と、を含む、ことを特徴とする。
【発明の効果】
【００１０】
本発明によると、ユーザが規制手段の位置を調整するための時間が確保されるため、規制手段を適正な位置にセットすることができ、シートの斜行を低減することができる。これにより、印字不良や搬送不良を抑制することができる。
【図面の簡単な説明】
【００１１】
【図１】本実施の形態に係る画像形成装置を含むシステムの概略構成を示す図。
【図２】画像形成装置を示す正面図。
【図３】プリンタエンジンを示す模式図。
【図４】画像形成装置に設けられた操作部を示す模式図。
【図５】（Ａ）はシートが載置されていない状態の手差しトレイを示す平面図。（Ｂ）はＡ４サイズのシートが縦置きされた状態の手差しトレイを示す平面図。（Ｃ）はＡ４サイズのシートが横置きされた状態の手差しトレイを示す平面図。
【図６】本実施の形態に係る制御ブロックを示すブロック図。
【図７】（Ａ）はサイズ設定画面が表示された表示部を示す図。（Ｂ）は種類設定画面が表示された表示部を示す図。（Ｃ）はユーザ設定画面が表示された表示部を示す図。
【図８】（Ａ）は固定モードが選択された状態のデフォルト設定画面を示す図。（Ｂ）は毎回設定モードが選択された状態のデフォルト設定画面を示す図。
【図９】（Ａ）はメモリに記憶される確定サイズ情報及び確定サイズ情報の一例を示す表。（Ｂ）乃至（Ｄ）はメモリに記憶されたデフォルト設定に関する情報の一例を示す表。（Ｅ）は第２の実施の形態に係るジョブの識別子、確定サイズ情報及び確定サイズ情報の一例を示す表。
【図１０】手差しシート情報の設定処理を示すフローチャート。
【図１１】ジョブ中断時における手差しシート情報の設定処理を示すフローチャート。
【図１２】第２の実施の形態に係るジョブ中断時における手差しシート情報の設定処理を示すフローチャート。
【図１３】第３の実施の形態に係るジョブ中断時における手差しシート情報の設定処理を示すフローチャート。
【発明を実施するための形態】
【００１２】
＜第１の実施の形態＞
以下、図面を参照しながら、本発明に係る実施の形態を詳しく説明する。なお、以下の実施の形態は特許請求の範囲に係る本発明を限定するものでなく、また本実施の形態で説明されている特徴の組み合わせの全てが本発明の解決手段に必須のものとは限らない。
【００１３】
図１は、本実施の形態に係る画像形成装置１００を含むシステムの概略構成を示している。図２及び図３を用いて後述される画像形成装置１００は、制御部１０１によって制御されており、制御部１０１は、ネットワークインターフェイス１０５によって、ネットワーク１０８を介してコンピュータ１０７との間で双方向の通信が可能となっている。
【００１４】
制御部１０１には、スキャナ１０２と、プリンタエンジン１０３と、操作部１０６と、が接続されている。スキャナ１０２は、原稿の画像を読み取って、その画像に対応する画像データを出力する。プリンタエンジン１０３は、本実施の形態ではレーザビームプリンタエンジンであり、スキャナ１０２若しくはコンピュータ１０７によって出力された画像データに基づいてシートに画像形成を行う。操作部１０６は、タッチパネル機能を備えた表示部と各種ハードキー等を備えており、制御部１０１からの上方に従って画像やメッセージを表示部に表示可能である。プリンタエンジン１０３には、プリンタエンジン１０３から排出されたシートに対してステイプルや製本等の後処理を行うフィニッシャ１０４が接続されており、フィニッシャ１０４も制御部１０１によって制御される。
【００１５】
［画像形成装置のハード構成］
次に、画像形成装置１００のハード構成について説明する。図２は、画像形成装置１００を示す正面図である。図３は、プリンタエンジン１０３を示す模式図である。画像形成装置１００は、図２に示すように、プリンタエンジン１０３と、プリンタエンジン１０３の上方に接続されるスキャナ１０２と、プリンタエンジン１０３の側方に接続されるフィニッシャ１０４と、を備えている。スキャナ１０２は、給送された原稿上の画像を照明し、ＣＣＤラインセンサにより原稿を走査することにより、その原稿の画像を電気的な画像データに変換し、この画像データから原稿のカラー判定やシートサイズ判定などを行う。なお、シートとは、普通紙の他にも、コート紙等の特殊紙、封筒やインデックス紙等の特殊形状からなる記録材、及びオーバーヘッドプロジェクタ用のプラスチックフィルムや布などを含む。
【００１６】
プリンタエンジン１０３は、フルカラーのレーザビームプリンタであり、図３に示すように、シートを給送するシート給送部７２０と、シート給送部７２０から給送されたシートに画像を形成する画像形成部７３０と、定着器７０６と、を備えている。画像形成手段としての画像形成部７３０は、露光装置７１２と、感光ドラム７０１と、帯電器７１１と、クリーニング装置７０４と、現像装置７０２と、中間転写ベルト７０３と、一次転写ローラ７１０と、２次転写ローラ７０９と、を有している。
【００１７】
画像形成部７３０の画像形成プロセスが開始されると、帯電器７１１によって感光ドラム７０１の表面が一様に帯電処理される。そして、露光装置７１２が、制御部１０１からの画像信号に基づいて、感光ドラム７０１にレーザ光を照射し、感光ドラム７０１の表面に第一色成分に対応した静電潜像が形成される。この静電潜像は、現像装置７０２の中にある１つの現像器によって現像され、第一色成分のトナー像が形成される。この第一色成分のトナー像は、一次転写ローラ７１０によって中間転写ベルト７０３に転写される。中間転写ベルト７０３にトナー像が転写された後に感光ドラム７０１上に残ったトナーは、クリーニング装置７０４によって回収される。画像形成部７３０は、このような転写処理を順次繰り返し、四色の画像が中間転写ベルト７０３上に重ね合されてカラー画像が形成される。なお、単色の画像を形成する場合には、一度だけ転写処理を行う。
【００１８】
シート給送部７２０は、複数段（本実施の形態では４段）のカセット７０５と、シート積載手段としての手差しトレイ３０４と、シートを給送可能な給送手段としてのピックアップローラ３０４ａ，７０５ａと、を有している。なお、ピックアップローラ３０４ａによって給送されるシートが案内される搬送路とピックアップローラ７０５ａによって給送されるシートが案内される搬送路の合流部には、シート長さセンサ１１０が配置されている。シート長さセンサ１１０は、後述するフリーサイズが確定サイズ情報として設定された場合に、搬送されているシートの長さを検知する。画像形成プロセスに並行してこれらカセット７０５及び手差しトレイ３０４のいずれかからピックアップローラ３０４ａ，７０５ａによってシートが給送される。そして、中間転写ベルト７０３に形成されたカラー画像は、シート給送部７２０によって給送されたシートに対して２次転写ローラ７０９によって転写される。カラー画像が転写されたシートは、定着器７０６によって熱及び圧力が付与され、カラー画像がシートに定着される。定着器７０６を通過したシートは、排出ローラ対７０７によって排出トレイ７１３に排出される。
【００１９】
両面印刷が行われる場合には、第１面に画像が形成されたシートは、排出ローラ対７０７によってスイッチバックされて両面搬送パス７０８に案内される。そして、シートは、画像形成部７３０によって第２面に画像が形成された後、排出ローラ対７０７によって排出トレイ７１３に排出される。なお、排出トレイ７１３にシートを排出せずに、フィニッシャ１０４にシートを排出してもよい。
【００２０】
図４は、画像形成装置１００に設けられた操作部１０６を示す模式図である。操作部１０６は、図４に示すように、表示部２０３と、キーボード２０４と、を有しており、表示部２０３は、画像を表示可能な液晶パネルと、液晶パネル上に貼り付けられたタッチパネルシートと、を有している。このため、表示部２０３は、画像によって各種の情報をユーザに知らせると共に、ユーザからタッチ入力によって各種設定を行うことができる。
【００２１】
キーボード２０４は、スタートキー４０２と、ストップキー４０４と、テンキー４０５と、ユーザモードキー４０６と、を有している。スタートキー４０２は、原稿画像の読取動作の開始をする場合等に用いられ、スタートキー４０２の中央部には緑と赤の２色のＬＥＤ４０３が配置されている。ＬＥＤ４０３が緑色に点灯している場合には、スタートキー４０２が使用可能な状態を示し、ＬＥＤ４０３が赤色に点灯している場合には、スタートキー４０２が使用不可能な状態を示している。ストップキー４０４が押下されると、制御部１０１は、シートの給送や画像書出し等の稼働中のジョブ動作を停止させる。テンキー４０５は、数字と文字のボタン群で構成されており、コピー部数の設定や、ファクシミリ番号などの入力に使用される。ユーザモードキー４０６は、機器設定を行う場合等に使用される。
【００２２】
図５（Ａ）〜（Ｃ）は、手差しトレイ３０４を示す平面図である。図５（Ａ）はシートが載置されていない状態の手差しトレイ３０４を示し、図５（Ｂ）はＡ４サイズのシートが縦置きされた状態の手差しトレイ３０４を示す。図５（Ｃ）はＡ４サイズのシートが横置きされた状態の手差しトレイ３０４を示す。手差しトレイ３０４は、プリンタエンジン１０３（図２参照）の側面において開閉可能に支持されており、図５（Ａ）に示すように、シート給送方向に直交する幅方向に延びる２本のレール５０３ａ，５０３ｂが設けられている。レール５０３ａ，５０３ｂには、１対の規制手段としてのガイド板５０２Ｆ，５０２Ｒが幅方向に移動可能に支持されており、ガイド板５０２Ｆ，５０２Ｒは、一方のガイド板を移動させることで他方のガイド板が連動するように構成されている。ガイド板５０２Ｆ，５０２Ｒは、シートの幅方向における端部の位置を規制可能に構成されている。
【００２３】
また、手差しトレイ３０４には、シート検知手段としてのシート有無センサ５０４が設けられており、シート有無センサ５０４は、手差しトレイ３０４にシートが積載されたことを検知可能である。なお、シート有無センサ５０４は、例えば積載されたシートに押圧されることで移動するフラグ部材と、フラグ部材によって光路が遮蔽されることによって検知信号を出力する光センサと、から構成されている。
【００２４】
図５（Ｂ）に示すように、手差しトレイ３０４にシートが積載されると、ユーザは、ガイド板５０２Ｆ，５０２Ｒをシートの幅方向における端部に合わせて移動させる。これにより、シートは幅方向における端部の位置が規制され、ピックアップローラ３０４ａによって斜行が低減された状態で給送される。なお、手差しトレイ３０４には、ガイド板５０２Ｆ，５０２Ｒの位置を検知可能なガイド幅センサ１０９（図６参照）が設けられており、このガイド幅センサ１０９の検知結果に応じて制御部１０１は手差しトレイ３０４に積載されたシートのサイズを判断する。このため、制御部１０１は、図５（Ｂ）のように縦置きされたＡ４サイズのシートや図５（Ｃ）のように横置きされたＡ４サイズのシートを区別して認識することができる。
【００２５】
［制御部］
図６は、本実施の形態に係る制御ブロックを示すブロック図である。制御部１０１は、中央処理装置であるＣＰＵ２０１、メモリ２０２、ディスク２１１、タイマ２１２及びネットワークインターフェイス１０５を含む制御回路によって構成されている。ＣＰＵ２０１が実行可能な各種プログラム及びデータは、ハードディスクやフロッピーディスク等のディスク２１１に記憶されており、これらプログラムは必要に応じて順次メモリ２０２に読み出され、ＣＰＵ２０１によって実行される。メモリ２０２は、各種の情報を記憶可能である。なお、ディスク２１１は、画像形成装置１００に着脱可能であっても画像形成装置１００に内蔵されたものでも良い。更に、各種プログラムは、他の画像形成装置やコンピュータ等からダウンロードされてディスク２１１に記憶される構成でも良い。また、メモリ２０２は、ＤＲＡＭのような不揮発メモリ、ＳＲＡＭのような揮発メモリの双方の機能を備えてもよく、揮発メモリの機能をメモリ２０２が受け持ち、不揮発メモリの機能をディスク２１１が受け持つ構成でも良い。また、メモリ２０２は、取り外し可能なメモリメディアでもよい。
【００２６】
制御部１０１には、プリンタエンジン１０３と、スキャナ１０２と、フィニッシャ１０４と、シート有無センサ５０４と、位置検知手段としてのガイド幅センサ１０９と、シート長さセンサ１１０と、操作部１０６と、が電気的に接続されている。ＣＰＵ２０１は、表示部２０３にデータを出力して表示部２０３に画像を表示させることができ、タッチパネル機能を有する表示部２０３又はキーボード２０４によってユーザから指示を受け付けることができる。操作部１０６から入力された情報は、メモリ２０２及びディスク２１１のいずれかに転送、蓄積され、様々な処理に使用される。
【００２７】
ＣＰＵ２０１は、プリンタエンジン１０３、スキャナ１０２及びフィニッシャ１０４に対してデータの読み書きを行うことにより、これら各デバイスの動作を制御したり各種ステータスを取得したりすることができる。スキャナ１０２又はネットワークインターフェイス１０５から取得した画像データは、メモリ２０２又はディスク２１１に保存することができる。また、取り外し可能なメモリ２０２に予め画像データを蓄積しておき、そのメモリを制御部１０１に接続することでメモリ内の画像データを読み込むこともできる。ディスク２１１に蓄積されている画像データは、メモリ２０２に移動もしくはコピーすることが可能で、操作部１０６から指示された内容によって、メモリ２０２の画像データに様々な付加画像（例えばページ番号の数字部分）を合成することができる。
【００２８】
なお、スキャナ１０２、プリンタエンジン１０３及びフィニッシャ１０４は、画像形成装置１００の一部に含まれずネットワーク上にそれぞれ単体の周辺機器として存在してもよく、それらを画像形成装置１００の制御部１０１が制御してもよい。また、画像形成装置１００は、スキャナ１０２及びフィニッシャ１０４を有さなくてもよく、プリンタエンジン１０３は、電子写真方式のプリンタに限らず、インクをノズルから吐出してシートに画像形成するインクジェットプリンタでもよい。
【００２９】
ＣＰＵ２０１は、画像形成ジョブを実行してプリンタエンジン１０３に画像形成動作を行わせる制御手段の一例である。ただし、画像形成ジョブとは、制御部１０１が実行すべき画像形成動作のタスクであり、具体的には、各ページの画像データ、部数、シートのサイズ及び種類、両面／ステイプリング等の機能設定等が含まれるデータ列を指すものとする。画像形成ジョブには、スキャナ１０２によって取得した画像データに基づいて制御部１０１によって生成されるコピージョブと、外部のコンピュータ１０７（図１参照）等から画像データが入力されるジョブと、が含まれる。
【００３０】
また、以下では、書き換えが行われる情報については、記憶手段の一例としてのメモリ２０２に記憶されるものとして説明するが、ディスク２１１や外部のコンピュータ等にこの情報を記憶してもよい。
【００３１】
［シート情報の設定］
次に、画像形成装置１００におけるシート情報の設定方法を説明する。図７（Ａ）はサイズ設定画面６５１が表示された表示部２０３を示す図であり、図７（Ｂ）は種類設定画面６５２が表示された表示部２０３を示す図であり、図７（Ｃ）はユーザ設定画面６５３が表示された表示部２０３を示す図である。なお、表示部２０３には画像として各種のボタンが表示されるが、以下では、ユーザがこのボタンを選択することを、物理的ボタンのように押下という。また、表示部２０３のタッチパネルで表現されるボタンではなく、物理的ボタンを用いても良いことはもちろんである。
【００３２】
後述する毎回設定モードが選択されている状態で手差しトレイ３０４にシートが積載されたことをシート有無センサ５０４が検知すると、図７（Ａ）に示すように、表示部２０３にサイズ設定画面６５１が表示される。サイズ設定画面６５１は、定形サイズボタン群６０１と、ユーザ設定ボタン６０２と、フリーサイズボタン６０４と、次へボタン６０５と、を有している。定形サイズボタン群６０１は、定形のシートサイズを設定するためのボタン群である。
【００３３】
ユーザ設定ボタン６０２は、ユーザが任意のシートサイズを設定したい場合に押下される。ユーザによってユーザ設定ボタン６０２が押下されると、図７（Ｃ）に示すように、表示部２０３にユーザ設定画面６５３が表示される。ユーザ設定画面６５３は、Ｘボタン６１０と、Ｙボタン６１１と、数字ボタン群６１２と、キャンセルボタン６１３と、ＯＫボタン６１４と、を有している。Ｘボタン６１０は、ユーザがシートの横方向、すなわち幅方向における長さを設定する場合に押下され、Ｙボタン６１１は、ユーザがシートの縦方向、すなわちシート搬送方向における長さを設定する場合に押下される。これら横方向及び縦方向の具体的な長さは、数字ボタン群６１２によってユーザに指定される。キャンセルボタン６１３は、ユーザがユーザ設定画面６５３でのサイズ設定をやめたい場合に押下され、キャンセルボタン６１３が押下されると、表示部２０３にサイズ設定画面６５１が再び表示される。
【００３４】
また、ユーザ設定画面６５３においてＯＫボタン６１４が押下されるか、サイズ設定画面６５１において次へボタン６０５が押下されると、設定されたシートサイズが選択サイズ情報としてメモリ２０２に記憶される。そして、ＣＰＵ２０１は、メモリ２０２に選択サイズ情報が記憶されると、ガイド幅センサ１０９によってガイド板５０２Ｆ，５０２Ｒの幅方向における位置を検知する。以下、ガイド板５０２Ｆ，５０２Ｒの間隔をガイド幅と言い、ガイド幅センサ１０９は、このガイド幅を検知可能である。そして、ＣＰＵ２０１は、ガイド幅センサ１０９によって検知されたガイド幅と、メモリ２０２に記憶された選択サイズ情報と、が合致しているか比較するチェック処理を実行する。メモリ２０２に記憶された選択サイズ情報に対してガイド幅が大きく異なる場合には、ＣＰＵ２０１は、ユーザに警告を発する。この警告の種類としては、表示部２０３にエラー画面を表示すること、警告音を発すること、等があるが、これらが組み合わされて行われても良い。これにより、ユーザは確定サイズ情報の再設定が促される。
【００３５】
シートサイズとガイド幅とが大きく異ならない場合には、図７（Ｂ）に示すように、表示部２０３に種類設定画面６５２が表示される。種類設定画面６５２は、シート種類設定ボタン群６０６と、戻るボタン６０７と、ＯＫボタン６０８と、を有している。各種のシート種類に対応したシート種類設定ボタン群６０６のいずれかのボタンが押下されると、対応するシート種類が選択種類情報としてメモリ２０２に記憶される。戻るボタン６０７は、種類設定画面６５２での設定をやめたい場合に押下され、戻るボタン６０７が押下されると表示部２０３にサイズ設定画面６５１が表示される。ＯＫボタン６０８が押下されると、選択サイズ情報及び選択種類情報がそれぞれ確定サイズ情報及び確定種類情報としてメモリ２０２に記憶される。なお、確定サイズ情報は、手差しトレイ３０４に対応付けられたシートのサイズに関する第１の情報である。
【００３６】
また、図７（Ａ）に示すフリーサイズボタン６０４は、ユーザがシートサイズの縦及び横の長さを指定しない不定形サイズを使用するためのボタンである。そして、フリーサイズボタン６０４が選択された状態で次へボタン６０５が押下されると、第１の情報としての確定サイズ情報の入力を省略可能とする省略設定が有効であるとする第３の情報がメモリ２０２に記憶される。選択サイズ情報としてフリーサイズがメモリ２０２に記憶された場合には、上述した選択サイズ情報とガイド幅とのチェック処理は実行されない。そして、搬送路上に配置されたシート長さ検知センサ１１０（図３参照）によってシート給送後にシートサイズが検知され、この検知結果に応じてシートに画像が形成される。フリーサイズの設定は、定形サイズボタン群６０１又はユーザ設定ボタン６０２が押下されることで解除される。
【００３７】
［デフォルト設定］
次に、手差しトレイ３０４で使用されるシートのデフォルト設定の登録方法について説明する。図８（Ａ）は固定モードが選択された状態のデフォルト設定画面６５４を示す図であり、図８（Ｂ）は毎回設定モードが選択された状態のデフォルト設定画面６５５を示す図である。これらデフォルト設定画面６５４，６５５は、ユーザが操作部１０６の設定ボタン等を操作した場合に表示される。
【００３８】
ユーザは固定モードを選択する場合には図８（Ａ）に示すように固定ボタン６２８を押下し、毎回設定モードを選択する場合には毎回設定ボタン６２９を押下する。固定ボタン６２８が選択された状態でＯＫボタン６３２が押下されると、デフォルト設定として固定モードがメモリ２０２に記憶される。毎回設定ボタン６２９が選択された状態でＯＫボタン６３２が押下されると、デフォルト設定として毎回設定モードがメモリ２０２に記憶される。すなわち、ＯＫボタン６３２が押下されると、手動設定モードとしての毎回設定モード及び固定モードのいずれが選択されているかを示す第２の情報がメモリ２０２に記憶される。
【００３９】
固定モードが設定された状態では、ユーザが手差しトレイ３０４にシートを積載してシート有無センサ５０４がシートを検知しても図７（Ａ）に示すサイズ設定画面６５１が表示部２０３に表示されない。そして、図８（Ａ）に示すシート情報表示エリア６３０に示されるシートサイズとシートタイプ（シート種類）が自動的に選択サイズ情報及び選択種類情報としてメモリ２０２に記憶される。シート情報表示エリア６３０の情報を変更する場合には、ユーザは登録ボタン６３１を押下する。すると、図７（Ａ）に示すサイズ設定画面６５１が表示部２０３に表示され、上述した手順を実施することによりサイズ情報及び種類情報の設定を行うことができる。
【００４０】
図９（Ａ）は、メモリ２０２に記憶される確定サイズ情報としてのシートサイズ（用紙サイズ）及び確定種類情報としてのシート種類（用紙種類）の一例であり、図９（Ａ）は、手差しトレイ３０４にシートが積載されていない状態である。図９（Ｂ）乃至図９（Ｄ）は、メモリ２０２に記憶されたデフォルト設定に関する情報を示す。図８（Ａ）に示すように、デフォルト設定として固定モードが選択され、かつシートサイズがフリーサイズ、シート種類が普通紙に設定されている場合には、デフォルト設定に関する情報は図９（Ｂ）に示すようになる。また、図８（Ｂ）に示すように、デフォルト設定として毎回設定モードが選択されている場合には、デフォルト設定に関する情報は図９（Ｃ）に示すようになる。また、デフォルト設定として固定モードが選択され、かつシートサイズがＡ４サイズ、シート種類が再生紙に設定されている場合には、デフォルト設定に関する情報は図９（Ｄ）に示すようになる。
【００４１】
［手差しシート情報の設定］
次に、手差しトレイ３０４に積載されたシートに関する情報（以下、手差しシート情報とする）の設定処理について図１０に示すフローチャートに沿って説明する。この設定処理を実行するためのプログラムはディスク２１１にインストールされており、実行時にメモリ２０２に展開されＣＰＵ２０１の制御の下に実行される。
【００４２】
まず、ＣＰＵ２０１は、シート有無センサ５０４の検知結果に基づいて、手差しトレイ３０４にシートが積載されたか否かを判断する（ステップＳ１１）。シートが積載されたと判断されると（ステップＳ１１：ＹＥＳ）、ＣＰＵ２０１は、メモリ２０２に記憶されている手差しトレイ３０４のデフォルト設定を確認する（ステップＳ１２）。デフォルト設定が毎回設定モードの場合（ステップＳ１２：毎回設定モード、例えば図９（Ｃ）に示す）には、ＣＰＵ２０１は、表示部２０３にサイズ設定画面６５１を表示させる（ステップＳ１３）。サイズ設定画面６５１において次へボタン６０５が押下されると（ステップＳ１４：ＹＥＳ）、ＣＰＵ２０１は、選択サイズ情報がフリーサイズか否かを判断する（ステップＳ１５）。選択サイズ情報がフリーサイズではなかった場合（ステップＳ１５：ＮＯ）には、ＣＰＵ２０１は、選択サイズ情報とガイド幅センサ１０９によって検知されたガイド幅とが合致しているかのチェック処理を行う（ステップＳ１６）。
【００４３】
このチェック処理において選択サイズ情報とガイド幅とが大きく異なる場合（ステップＳ１６：ＮＧ）には、ＣＰＵ２０１は表示部２０３に選択サイズ情報の再設定を促すガイド幅エラー画面を表示させる（ステップＳ１７）。なお、本実施の形態では、選択サイズ情報におけるシート幅とガイド幅との差が１０ｍｍ以上の場合には、チェック処理をＮＧとし、その差が１０ｍｍ未満の場合には、チェック処理をＯＫとするが、適宜この閾値を設定してよい。チェック処理において選択サイズ情報とガイド幅とが大きく異ならない場合（ステップＳ１６：ＯＫ）には、ＣＰＵ２０１は、表示部２０３に種類設定画面６５２を表示させる。そして、ユーザがＯＫボタン６０８を押下した場合（ステップＳ１９：ＹＥＳ）には、選択サイズ情報及び選択種類情報がそれぞれ確定サイズ情報及び確定種類情報としてメモリ２０２に記憶され、設定処理が終了する。
【００４４】
一方、手差しトレイ３０４のデフォルト設定が固定モードの場合（ステップＳ１２）には、ＣＰＵ２０１は、選択サイズ情報がフリーサイズか否かを判断する（ステップＳ２１）。選択サイズ情報がフリーサイズではないと判断された場合（ステップＳ２１：ＮＯ）には、ＣＰＵ２０１は、上記チェック処理を行う（ステップＳ２２）。チェック処理がＮＧの場合（ステップＳ２２：ＮＧ）には、ＣＰＵ２０１は、ステップＳ１７と同様に表示部２０３に選択サイズ情報の再設定を促すガイド幅エラー画面を表示させる（ステップＳ２３）。
【００４５】
チェック処理がＯＫの場合（ステップＳ２２：ＯＫ）には、選択サイズ情報及び選択種類情報、すなわちシート情報表示エリア６３０（図８（Ａ）参照）の情報がそれぞれ確定サイズ情報及び確定種類情報としてメモリ２０２に記憶される。
【００４６】
また、ステップＳ２１において選択サイズ情報がフリーサイズであると判断された場合（ステップＳ２１：ＹＥＳ）には、ＣＰＵ２０１は、ガイド幅センサ１０９の検知結果に基づいてこの時のガイド幅をメモリ２０２に一時保存する（ステップＳ２５）。そして、ＣＰＵ２０１は、タイマ２１２（図６参照）による計時を開始する（ステップＳ２６）。本実施の形態では、タイマ２１２が計測するサンプリング時間は５００ｍｓｅｃに設定されるが、サンプリング時間は適宜変更してもよい。
【００４７】
そして、ＣＰＵ２０１は、タイマ２１２に設定されたサンプリング時間が経過したかを判断（ステップＳ２７）し、サンプリング時間が経過した場合（ステップＳ２７：ＹＥＳ）、ステップＳ２８に進む。ステップＳ２８では、ＣＰＵ２０１は、ステップＳ２５においてメモリ２０２に一時保存したガイド幅と、サンプリング時間が経過した時点でのガイド幅と、を比較する移動判断処理を実行する。これらのガイド幅の差が所定値（本実施の形態では５ｍｍ）以上の場合（ステップＳ２８：所定値以上）には、ステップＳ２５に戻る。ガイド幅の差が所定値未満の場合（ステップＳ２８：所定値未満）には、ＣＰＵ２０１は、選択サイズ情報及び選択種類情報（例えば図９（Ｂ）に示す）を確定サイズ情報及び確定種類情報としてメモリ２０２に記憶させ、設定処理を終了する。従って、図９（Ｂ）に示す例では、確定サイズ情報としてフリーサイズ、確定種類情報として普通紙がメモリ２０２に記憶される。
【００４８】
［ジョブ中断時における手差しシート情報の設定］
次に、ジョブ中断時における手差しシート情報の設定処理について図１１に示すフローチャートに沿って説明する。画像形成ジョブの中断は、例えば連続印刷中に途中でシートが無くなった場合、すなわちシート有無センサ５０４がシートを検知しない場合や、ジャムが発生した場合等に行われる。なお、この設定処理を実行するためのプログラムはディスク２１１にインストールされており、実行時にメモリ２０２に展開されＣＰＵ２０１の制御の下に実行される。
【００４９】
まず、ユーザによって手差しトレイ３０４が指定された状態で画像形成ジョブが実行され（ステップＳ３０）、ＣＰＵ２０１は、画像形成ジョブが中断しているか否かを判断する（ステップＳ３１）。画像形成ジョブが中断していないと判断され（ステップＳ３１：ＮＯ）かつ手差しトレイ３０４にシートがセットされた場合（ステップＳ３２：ＹＥＳ）には、ＣＰＵ２０１は、画像形成ジョブが完了しているか否かを判断する（ステップＳ４３）。すそして、画像形成ジョブが完了している場合（ステップＳ４３：ＹＥＳ）には、処理を終了する。画像形成ジョブが完了していない場合（ステップＳ４３：ＮＯ）には、ステップＳ３１に戻る。
【００５０】
ステップＳ３１において画像形成ジョブが中断していると判断された場合（ステップＳ３１：ＹＥＳ）には、ステップＳ３３に進む。当該処理は、ＣＰＵ２０１が、画像形成手段に画像を形成させる画像形成ジョブが中断している状態にあることを示す情報を取得する中断状態取得工程を含む。ここで、ステップＳ３３〜ステップＳ４１は、図１０に示すステップＳ１２〜ステップＳ２０と同様であり、ステップＳ４４〜ステップＳ４７は、図１０に示すステップＳ２１〜ステップＳ２４と同様であるため、これらの説明は省略する。また、ステップＳ４８〜ステップＳ５２は、図１０に示すステップＳ２５〜ステップＳ２９と同様であるが、ステップＳ４８〜ステップＳ５２における処理は本発明の要部であるため、今一度説明する。
【００５１】
すなわち、ステップＳ３３においてデフォルト設定が毎回設定モードに設定されている場合や、固定モードに設定されかつステップＳ４４においてフリーサイズに設定されていない場合には、ステップＳ３７，Ｓ４５におけるチェック処理が実行される。このチェック処理では、選択サイズ情報とガイド幅センサ１０９の検知結果に応じたガイド幅とが合致しているか確認されるため、たとえユーザがガイド板５０２Ｆ，５０２Ｒの位置調整を行う前にシートを手差しトレイ３０４に積載しても問題ない。つまり、選択サイズ情報とガイド板５０２Ｆ，５０２Ｒのガイド幅とが合致していない場合には、表示部２０３にガイド幅エラー画面（ステップＳ３８，Ｓ４６参照）が表示される。そして、選択サイズ情報とガイド板５０２Ｆ，５０２Ｒのガイド幅とが合致するまで画像形成ジョブは再開されない。
【００５２】
しかしながら、デフォルト設定が固定モードに設定され、かつ選択サイズ情報がフリーサイズに設定されている場合には、選択サイズ情報においてシート幅の情報が存在しないため、上記チェック処理が行われない。また、ユーザによっては、シートを手差しトレイ３０４に積載した後にガイド板５０２Ｆ，５０２Ｒの位置を調整する場合がある。このため、例えば画像形成ジョブの中断時に手差しトレイ３０４にシートが積載されることで、即座に確定サイズ情報としてフリーサイズがメモリ２０２に記憶され画像形成ジョブが再開してしまうと、シートが斜行してしまう虞がある。これは、ユーザにガイド板５０２Ｆ，５０２Ｒを調整する時間的猶予が無く、ガイド板５０２Ｆ，５０２Ｒとシートとが大きく離れた状態でシートが給送されてしまうためである。
【００５３】
一方で、例えば手差しトレイ３０４にシートを積載してから一定時間後に予め設定されているシートサイズ及びシート種類をそれぞれ確定サイズ情報及び確定種類情報としてメモリ２０２に記憶する場合には、シートの斜行は低減される。しかし、手差しトレイ３０４にシートのセットが完了しているにも関わらず一定時間、画像形成ジョブが再開されるまでユーザが待たされる場合があり、生産性が低減するという問題がある。そこで、本発明は、これらの課題を解決しようとするものである。
【００５４】
図１１に示すように、ステップＳ３３においてデフォルト設定として固定モードが選択され（ステップＳ３３：固定モード）、ステップＳ４４において選択サイズ情報としてフリーサイズが選択されている場合（ステップＳ４４：ＹＥＳ）を想定する。すなわち、この時、固定モードに選択され、第３の情報が省略設定（フリーモード）の有効を示し、かつシート有無センサ５０４がシートを検知した状態である計測開始状態となっている。ＣＰＵ２０１は、ガイド幅センサ１０９の検知結果に基づいてこの時のガイド幅をメモリ２０２に一時保存する（ステップＳ４８）。この時のガイド板５０２Ｆ，５０２Ｒの位置は、第１位置である。そして、ＣＰＵ２０１は、タイマ２１２（図６参照）による計時を開始する（ステップＳ４９）。
【００５５】
そして、ＣＰＵ２０１は、タイマ２１２に設定されたサンプリング時間が経過したかを判断（ステップＳ５０）し、サンプリング時間が経過した場合（ステップＳ５０：ＹＥＳ）、ステップＳ５１に進む。ステップＳ５１では、ＣＰＵ２０１は、ステップＳ４８においてメモリ２０２に一時保存したガイド幅と、サンプリング時間が経過した時点でのガイド幅と、を比較する移動判断処理を実行する。サンプリング時間が経過した時点でのガイド板５０２Ｆ，５０２Ｒの位置は、第２位置である。これらのガイド幅の差が所定値（本実施の形態では５ｍｍ）以上の場合（ステップＳ５１：所定値以上）には、ステップＳ４８に戻る。これは、ガイド板５０２Ｆ，５０２Ｒがユーザにより位置調整中であると判断されたためである。ガイド幅の差が所定値未満の場合（ステップＳ５１：所定値未満）には、ＣＰＵ２０１は、選択サイズ情報及び選択種類情報（例えば図９（Ｂ）に示す）を確定サイズ情報及び確定種類情報としてメモリ２０２に記憶させる。これは、ガイド板５０２Ｆ，５０２Ｒがユーザによって位置調整完了していると判断されたためである。なお、ステップＳ４８〜Ｓ５１は、移動判断工程である。
【００５６】
また移動判断処理では、ガイド幅の差が所定値（本実施の形態では５ｍｍ）以上の場合に、ＣＰＵ２０１はガイド板５０２Ｆ，５０２Ｒが移動状態になったと判断し、ガイド幅の差が所定値（本実施の形態では５ｍｍ）未満の場合に、停止状態であると判断する。このように、閾値としての所定値を設けているのは、振動等によってガイド板５０２Ｆ，５０２Ｒが少し動いただけでも移動状態になったと判断されないためである。
【００５７】
そして、ＣＰＵ２０１は、所定のサンプリング時間が経過する前にガイド板５０２Ｆ，５０２Ｒが移動状態となった場合には、確定サイズ情報及び確定種類情報をメモリ２０２に記憶させない。また、ＣＰＵ２０１は、所定のサンプリング時間が経過する前にガイド板５０２Ｆ，５０２Ｒが移動状態にならないことを条件に、確定サイズ情報及び確定種類情報をメモリ２０２に記憶させる。
【００５８】
ステップＳ４１，Ｓ４７，Ｓ５２において確定サイズ情報及び確定種類情報がメモリ２０２に記憶されると、ＣＰＵ２０１は、画像形成ジョブの再開指示を行う（ステップＳ４２）。これにより、例えばピックアップローラ３０４ａが駆動される駆動処理が実行され、手差しトレイ３０４に積載されたシートが給送される。なお、ステップＳ４２は、駆動工程である。ステップＳ４３において画像形成ジョブが完了したと判断されると（ステップＳ４３：ＹＥＳ）、処理を終了する。
【００５９】
以上説明したように、画像形成ジョブが中断している状態では、デフォルト設定が固定モードに設定され、かつ選択サイズ情報がフリーサイズに設定されている場合においては、以下のような処理が実行される。所定のサンプリング時間が経過する前にガイド板５０２Ｆ，５０２Ｒが移動状態にならなかった場合に、確定サイズ情報及び確定種類情報がメモリ２０２に記憶される。これにより、画像形成ジョブが再開しシートが給送される。このとき、一回目のサンプリング時間の計測が終了したことに基づいてシートが給送されるタイミングを第１のタイミングとする。第１のタイミングでシートが給送されるのは、ＣＰＵ２０１によって一度もガイド板５０２Ｆ，５０２Ｒが移動状態になったと判断されなかった場合である。
【００６０】
また、所定のサンプリング時間が経過する前にガイド板５０２Ｆ，５０２Ｒが移動状態となった場合には、タイマ２１２がリセットされ、再度サンプリング時間が計測された後、移動状態になったか否かが判断される。そして、このような移動判断処理において複数回目のサンプリング時間の計測が終了したことに基づいてシートが給送されるタイミングを第１のタイミングよりも遅い第２のタイミングとする。第２のタイミングでシートが給送されるのは、少なくとも一度、ガイド板５０２Ｆ，５０２Ｒが移動状態になったと判断された場合である。
【００６１】
このため、少なくとも一度目の上記サンプリング時間が計測されるまで、更にユーザがガイド板５０２Ｆ，５０２Ｒを移動させガイド板５０２Ｆ，５０２Ｒを位置調整している間は、シートの給送が再開されない。このため、ユーザが手差しトレイ３０４にシートを積載してからガイド板５０２Ｆ，５０２Ｒの位置調整を行う時間が確保され、確実にガイド板５０２Ｆ，５０２Ｒによってシートの幅方向における位置を規制することができる。これにより、シートの斜行が低減され、印字精度を向上したりジャムの発生を低減したりすることができる。
【００６２】
また、ガイド板５０２Ｆ，５０２Ｒが移動している間にシートが給送されてしまったり、シートのセットが完了しているにも拘らず一定時間画像形成ジョブが再開されなかったりするといった問題を低減することができる。
【００６３】
＜第２の実施の形態＞
次いで、本発明の第２の実施の形態について説明するが、第２の実施の形態は、ステップＳ４８（図１１参照）におけるガイド幅の検知タイミングを別のタイミングにしたものである。このため、第１の実施の形態と同様の構成については、図示を省略、又は図に同一符号を付して説明する。
【００６４】
以下、本実施の形態におけるジョブ中断時の手差しシート情報の設定処理について図１２に示すフローチャートに沿って説明する。なお、図１２に示すフローチャートでは、手差しトレイ３０４に対応するデフォルト設定が固定モードに設定され、選択サイズ情報がフリーサイズに設定されているものとする。なお、この設定処理を実行するためのプログラムはディスク２１１にインストールされており、実行時にメモリ２０２に展開されＣＰＵ２０１の制御の下に実行される。
【００６５】
まず、ユーザによって手差しトレイ３０４が指定された状態で画像形成ジョブが実行され（ステップＳ６０）、ＣＰＵ２０１は、ガイド幅センサ１０９の検知結果に基づいてこの時のガイド幅をメモリ２０２に一時保存する（ステップＳ６１）。この時、ＣＰＵ２０１は、図９（Ｅ）に示すように、ガイド幅をジョブの識別子と共にメモリ２０２に保存する。この時のガイド板５０２Ｆ，５０２Ｒの位置は、第３位置である。そして、ＣＰＵ２０１は、画像形成ジョブが中断しているか否かを判断し（ステップＳ６２）、画像形成ジョブが中断していないと判断された場合（ステップＳ６２：ＮＯ）には、ステップＳ６８に進む。そして、ＣＰＵ２０１は、ステップＳ６８において画像形成ジョブが完了したか否かを判断する（ステップＳ６８）。画像形成ジョブが完了している場合（ステップＳ６８：ＹＥＳ）には、処理を終了する。画像形成ジョブが完了していない場合（ステップＳ６８：ＮＯ）には、ステップＳ６２に戻る。
【００６６】
ステップＳ６２において画像形成ジョブが中断していると判断された場合には、ＣＰＵ２０１は、シート有無センサ５０４の検知結果に基づいて、手差しトレイ３０４にシートが積載されたか否かを判断する（ステップＳ６３）。シートが積載されたと判断されると（ステップＳ６３：ＹＥＳ）、ＣＰＵ２０１は、ガイド幅センサ１０９の検知結果に基づいてこの時、すなわちジョブ中断中のガイド幅を取得する。そして、ＣＰＵ２０１は、ステップＳ６１においてメモリ２０２に一時保存されたジョブ中断前のガイド幅と、ジョブ中断中のガイド幅とが合致しているかのチェック処理を行う（ステップＳ６４）。ジョブ中断中のガイド板５０２Ｆ，５０２Ｒの位置は、第４位置である。
【００６７】
このチェック処理においてジョブ中断前のガイド幅とジョブ中断中のガイド幅とが大きく異なる場合（ステップＳ６４：所定値以上）には、ＣＰＵ２０１は表示部２０３に選択サイズ情報の再設定を促すガイド幅エラー画面を表示させる（ステップＳ６５）。ジョブ中断前のガイド幅とジョブ中断中のガイド幅とが大きく異ならない場合（ステップＳ６４：所定値未満）には、選択サイズ情報及び選択種類情報がそれぞれ確定サイズ情報及び確定種類情報としてメモリ２０２に記憶される（ステップＳ６６）。なお、本実施の形態では、ジョブ中断前のガイド幅とジョブ中断中のガイド幅との差が１０ｍｍ以上の場合には、チェック処理をＮＧとし、その差が１０ｍｍ未満の場合には、チェック処理をＯＫとするが、適宜この閾値を設定してよい。
【００６８】
そして、ＣＰＵ２０１は、画像形成ジョブの再開指示を行う（ステップＳ６７）。これにより、例えばピックアップローラ３０４ａが駆動され、手差しトレイ３０４に積載されたシートが給送される。ステップＳ６８において画像形成ジョブが完了したと判断されると（ステップＳ６８：ＹＥＳ）、処理を終了する。
【００６９】
以上説明したように、本実施の形態によれば、ジョブ中断が発生しても、ジョブ投入時のガイド幅と合致したフリーサイズのシートのみを給送させることができる。このため、例えばユーザが画像形成ジョブの途中でガイド板５０２Ｆ，５０２Ｒを誤って操作してしまった場合でも、ガイド板５０２Ｆ，５０２Ｒを正しい位置に合わせることができる。これにより、ジョブ中断の前後で整合性のとれた成果物を生成することができる。
【００７０】
＜第３の実施の形態＞
次いで、本発明の第３の実施の形態について説明するが、第３の実施の形態は、第１の実施の形態のジョブ中断時における手差しシート情報の設定に対して１つ処理を追加したものである。このため、第１の実施の形態と同様の構成については、図示を省略、又は図に同一符号を付して説明する。
【００７１】
図１３は、本実施の形態におけるジョブ中断時の手差しシート情報の設定処理を示すフローチャートであり、第１の実施の形態の図１１に示すフローチャートに対して、ステップＳ４８の前にステップＳ８０が追加されている。このステップＳ８０以外は、図１１に示すフローチャートと同一であるので、ステップＳ８０に関することのみ説明する。
【００７２】
ステップＳ４４において選択サイズ情報がフリーサイズであると判断されると（ステップＳ４４：ＹＥＳ）、ＣＰＵ２０１は、例えばタイマ２１２（図６参照）を用いて所定時間を計測する（ステップＳ８０）。この所定時間は、ユーザがシートを手差しトレイ３０４に積載してからガイド板５０２Ｆ，５０２Ｒを操作するまでにかかる時間に設定されるのが好ましく、例えば１０００ｍｓｅｃに設定される。そして、所定時間経過したと判断されると（ステップ８０：ＹＥＳ）、ＣＰＵ２０１は、ガイド幅センサ１０９の検知結果に基づいてこの時のガイド幅をメモリ２０２に一時保存する（ステップＳ４８）。そして、ＣＰＵ２０１は、タイマ２１２（図６参照）による計時を開始する（ステップＳ４９）。本実施の形態では、タイマ２１２が計測するサンプリング時間は２００ｍｓｅｃに設定されるが、サンプリング時間は適宜変更してもよい。
【００７３】
そして、ＣＰＵ２０１は、タイマ２１２に設定されたサンプリング時間が経過したかを判断（ステップＳ５０）し、サンプリング時間が経過した場合（ステップＳ５０：ＹＥＳ）、ステップＳ５１に進む。ステップＳ５１では、ＣＰＵ２０１は、ステップＳ４８においてメモリ２０２に一時保存したガイド幅と、サンプリング時間が経過した時点でのガイド幅と、を比較する移動判断処理を実行する。これらのガイド幅の差が所定値（本実施の形態では５ｍｍ）以上の場合（ステップＳ５１：所定値以上）には、ステップＳ４８に戻る。ガイド幅の差が所定値未満の場合（ステップＳ５１：所定値未満）には、ＣＰＵ２０１は、選択サイズ情報及び選択種類情報（例えば図９（Ｂ）に示す）を確定サイズ情報及び確定種類情報としてメモリ２０２に記憶させる。（ステップＳ５２）そして、ＣＰＵ２０１は、画像形成ジョブを再開させる（ステップＳ４２）。
【００７４】
以上のように、本実施の形態では、シート有無センサ５０４がシートを検知して計測開始状態になってから、ステップＳ８０において所定時間の経過を待ち、その後サンプリング時間の計測を行う。このため、シートが手差しトレイ３０４に載置されてから、ユーザがガイド板５０２Ｆ，５０２Ｒを操作するまでにかかる時間を所定時間として想定し、サンプリング時間をより短く設定することができる。すなわち、サンプリング時間はあくまでもガイド板５０２Ｆ，５０２Ｒが振動によって移動したのか、ユーザによって移動されたのかを判断するための時間として機能する。
【００７５】
これにより、ユーザがガイド板５０２Ｆ，５０２Ｒを移動させたことを判断する際に、より応答性良く構成することができ、印刷精度の向上と生産性の向上を両立することができる。
【００７６】
なお、既述の全ての実施の形態において、サンプリング時間は自由に設定してもよい。また、手差しトレイ３０４に積載されたシートの後端の位置を規制する後端規制板を設け、規制手段としての後端規制板の移動に基づいて確定サイズ情報の設定タイミングを変更してもよい。
【００７７】
＜他の実施の形態＞
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００７８】
１００：画像形成装置／１０９：位置検知手段（ガイド幅センサ）／３０４：シート積載手段（手差しトレイ）／３０４ａ：給送手段（ピックアップローラ）／５０２Ｆ，５０２Ｒ：規制手段（ガイド板）／５０４：シート検知手段（シート有無センサ）／７３０：画像形成手段（画像形成部）
【図１】
2018184235.tif 000003
【図２】
2018184235.tif 000004
【図３】
2018184235.tif 000005
【図４】
2018184235.tif 000006
【図５】
2018184235.tif 000007
【図６】
2018184235.tif 000008
【図７】
2018184235.tif 000009
【図８】
2018184235.tif 000010
【図９】
2018184235.tif 000011
【図１０】
2018184235.tif 000012
【図１１】
2018184235.tif 000013
【図１２】
2018184235.tif 000014
【図１３】
2018184235.tif 000015